(57)【特許請求の範囲】
【請求項１】
２次元直交座標の互いに直交する２軸をＸ軸およびＹ軸としたときに、前記Ｘ軸方向にＪ（Ｊは２以上の整数）ドットおよび前記Ｙ軸方向にＫ（Ｋは２以上の整数）ドットのＪドット×Ｋドットの印刷画像を、印刷対象物の前記Ｘ軸方向にＮ（Ｎは２以上の整数）個並べて印刷する画像印刷方法であって、
前記印刷画像を表現する印刷画像データのうちの、前記Ｘ軸方向に並ぶＪドットの１ライン分を表現する各ラインデータを、所定の通信プロトコルに従って所定の通信相手から順次受信することにより、前記Ｙ軸方向のＫライン分に対応するＫ個のラインデータを順次受信するラインデータ受信工程と、
前記Ｋラインのうちのｋ（ｋは１≦ｋ≦Ｋとなる任意の整数）番目のラインデータを受信したときに、それを第ｋ短ラインデータとしてＮ個分コピーして順次並べることにより、前記Ｊドットの１ライン分を前記Ｘ軸方向にＮ個並べたＪ×Ｎドットの１ライン分を表現する第ｋ長ラインデータを作成する長ラインデータ作成工程と、
作成された前記第ｋ長ラインデータによって表現されるＪ×Ｎドットの１ラインをｋライン目として、前記印刷対象物の前記Ｘ軸方向に印刷するライン印刷工程と、
を備えたことを特徴とする画像印刷方法。
【請求項２】
前記印刷画像の印刷数である前記Ｎを指定する印刷数指定工程をさらに備えたことを特徴とする、請求項１に記載の画像印刷方法。
【請求項３】
前記印刷画像の印刷数である前記Ｎを示す印刷数データを受信する印刷数データ受信工程をさらに備えたことを特徴とする、請求項１に記載の画像印刷方法。
【請求項４】
前記第ｋ長ラインデータに基づいて前記Ｘ軸方向に印刷可能な所定印刷可能ドット数Ｍが定められており、
前記印刷画像の印刷数である前記Ｎを、前記印刷画像のＸ軸方向のドット数Ｊおよび前記所定印刷可能ドット数Ｍに基づいて決定する印刷数決定工程をさらに備えたことを特徴とする、請求項１に記載の画像印刷方法。
【請求項５】
前記第ｋ長ラインデータに基づいて前記Ｘ軸方向に印刷可能な所定印刷可能長さＬが定められており、
前記印刷画像の印刷数である前記Ｎを、前記印刷画像のＸ軸方向のドット数Ｊ、印刷密度および前記所定印刷可能長さＬに基づいて決定する印刷数決定工程をさらに備えたことを特徴とする、請求項１に記載の画像印刷方法。
【請求項６】
前記印刷密度を指定する印刷密度指定工程をさらに備えたことを特徴とする、請求項５に記載の画像印刷方法。
【請求項７】
前記印刷密度を示す印刷密度データを受信する印刷密度受信工程をさらに備えたことを特徴とする、請求項５に記載の画像印刷方法。
【請求項８】
受信したラインデータに基づいて前記ドット数Ｊを検出するドット数検出工程をさらに備えたことを特徴とする、請求項４ないし７のいずれかに記載の画像印刷方法。
【請求項９】
前記ドット数Ｊを示すドット数データを受信するドット数データ受信工程をさらに備えたことを特徴とする、請求項４ないし７のいずれかに記載の画像印刷方法。
【請求項１０】
前記印刷対象物は、長尺状であり、その長手方向が前記Ｘ軸方向と一致するように装着されることを特徴とする、請求項１ないし９のいずれかに記載の画像印刷方法。
【請求項１１】
請求項１ないし１０のいずれか１項に記載の各工程と、
前記印刷画像データを作成する印刷画像作成工程と、
作成された前記印刷画像データのうちの前記Ｋ個のラインデータを第１インタフェースを介して順次送信する印刷画像通信工程と、
を備え、
前記ラインデータ受信工程では、前記第１インタフェースを介して前記Ｋ個のラインデータを受信することを特徴とする画像印刷方法。
【請求項１２】
前記第１インタフェースは、ＲＳ−２３２Ｃ、ＵＳＢまたはＩＥＥＥ１３９４の規格に従った通信が可能なものであることを特徴とする、請求項１１に記載の画像印刷方法。
【請求項１３】
前記第１インタフェースは、セントロニクスの規格に従った通信が可能なものであることを特徴とする、請求項１１に記載の画像印刷方法。
【請求項１４】
前記印刷画像通信工程は、
前記印刷画像データを第２インタフェースを介して送信する画像データ送信工程と、
前記第２インタフェースを介して前記印刷画像データを受信して前記Ｋ個のラインデータに分割するデータ分割工程と、
分割された前記Ｋ個のラインデータを１個ずつ順次、前記第１インタフェースを介して送信するラインデータ送信工程と、
を有することを特徴とする、請求項１１ないし１３のいずれかに記載の画像印刷方法。
【請求項１５】
前記第２インタフェースは、所定のネットワークを介したものであることを特徴とする、請求項１４に記載の画像印刷方法。
【請求項１６】
前記ネットワークには、インターネットが含まれることを特徴とする、請求項１５に記載の画像印刷方法。
【請求項１７】
前記ネットワークには、所定のローカルエリアネットワークが含まれることを特徴とする、請求項１５または１６に記載の画像印刷方法。
【請求項１８】
前記第２インタフェースは、ＩＥＥＥ標準ＬＡＮ準拠の通信プロトコルに従った通信が可能なものであることを特徴とする、請求項１４ないし１７のいずれかに記載の画像印刷方法。
【請求項１９】
前記第２インタフェースは、イーサネット、ＦＤＤＩおよびＡＴＭの少なくとも１のデータリンクプロトコルに従った通信が可能なものであることを特徴とする、請求項１４ないし１８のいずれかに記載の画像印刷方法。
【請求項２０】
請求項１ないし１９のいずれか１項に記載の各工程と、
前記印刷対象物に印刷されたＮ個の印刷画像のうちの各１個ずつの印刷画像の部分を利用して、前記印刷画像が各１個ずつ印刷されたラベルを作成する印刷画像部分利用工程と、
を備えたことを特徴とするラベル作成方法。
【請求項２１】
前記印刷画像部分利用工程は、
前記印刷対象物の前記各１個ずつの印刷画像の部分を切り離す印刷画像部分切断工程を有することを特徴とする、請求項２０に記載のラベル作成方法。
【請求項２２】
前記印刷対象物は、裏面の剥離層を剥離することにより、前記印刷画像が表面に印刷された状態で所定の貼付対象物に貼付可能に構成されたものであることを特徴とする、請求項２０または２１に記載のラベル作成方法。
【請求項２３】
２次元直交座標の互いに直交する２軸をＸ軸およびＹ軸としたときに、前記Ｘ軸方向にＪ（Ｊは２以上の整数）ドットおよび前記Ｙ軸方向にＫ（Ｋは２以上の整数）ドットのＪドット×Ｋドットの印刷画像を、印刷対象物の前記Ｘ軸方向にＮ（Ｎは２以上の整数）個並べて印刷する画像印刷装置であって、
前記印刷画像を表現する印刷画像データのうちの、前記Ｘ軸方向に並ぶＪドットの１ライン分を表現する各ラインデータを、所定の通信プロトコルに従って所定の通信相手から順次受信することにより、前記Ｙ軸方向のＫライン分に対応するＫ個のラインデータを順次受信するラインデータ受信手段と、
前記Ｋラインのうちのｋ（ｋは１≦ｋ≦Ｋとなる任意の整数）番目のラインデータを受信したときに、それを第ｋ短ラインデータとしてＮ個分コピーして順次並べることにより、前記Ｊドットの１ライン分を前記Ｘ軸方向にＮ個並べたＪ×Ｎドットの１ライン分を表現する第ｋ長ラインデータを作成する長ラインデータ作成手段と、
作成された前記第ｋ長ラインデータによって表現されるＪ×Ｎドットの１ラインをｋライン目として、前記印刷対象物の前記Ｘ軸方向に印刷するライン印刷手段と、
を備えたことを特徴とする画像印刷装置。
【請求項２４】
前記印刷画像の印刷数である前記Ｎを指定する印刷数指定手段をさらに備えたことを特徴とする、請求項２３に記載の画像印刷装置。
【請求項２５】
前記印刷画像の印刷数である前記Ｎを示す印刷数データを受信する印刷数データ受信手段をさらに備えたことを特徴とする、請求項２３に記載の画像印刷装置。
【請求項２６】
前記第ｋ長ラインデータに基づいて前記Ｘ軸方向に印刷可能な所定印刷可能ドット数Ｍが定められており、
前記印刷画像の印刷数である前記Ｎを、前記印刷画像のＸ軸方向のドット数Ｊおよび前記所定印刷可能ドット数Ｍに基づいて決定する印刷数決定手段をさらに備えたことを特徴とする、請求項２３に記載の画像印刷装置。
【請求項２７】
前記第ｋ長ラインデータに基づいて前記Ｘ軸方向に印刷可能な所定印刷可能長さＬが定められており、
前記印刷画像の印刷数である前記Ｎを、前記印刷画像のＸ軸方向のドット数Ｊ、印刷密度および前記所定印刷可能長さＬに基づいて決定する印刷数決定手段をさらに備えたことを特徴とする、請求項２３に記載の画像印刷装置。
【請求項２８】
前記印刷密度を指定する印刷密度指定手段をさらに備えたことを特徴とする、請求項２７に記載の画像印刷装置。
【請求項２９】
前記印刷密度を示す印刷密度データを受信する印刷密度受信手段をさらに備えたことを特徴とする、請求項２７に記載の画像印刷装置。
【請求項３０】
受信したラインデータに基づいて前記ドット数Ｊを検出するドット数検出手段をさらに備えたことを特徴とする、請求項２６ないし２９のいずれかに記載の画像印刷装置。
【請求項３１】
前記ドット数Ｊを示すドット数データを受信するドット数データ受信手段をさらに備えたことを特徴とする、請求項２６ないし２９のいずれかに記載の画像印刷装置。
【請求項３２】
前記印刷対象物は、長尺状であり、その長手方向が前記Ｘ軸方向と一致するように装着されることを特徴とする、請求項２３ないし３１のいずれかに記載の画像印刷装置。
【請求項３３】
請求項２３ないし３２のいずれか１項に記載の各手段と、
前記印刷画像データを作成する印刷画像作成手段と、
作成された前記印刷画像データのうちの前記Ｋ個のラインデータを第１インタフェースを介して順次送信する印刷画像通信手段と、
を備え、
前記ラインデータ受信手段では、前記第１インタフェースを介して前記Ｋ個のラインデータを受信することを特徴とする画像印刷システム。
【請求項３４】
前記第１インタフェースは、ＲＳ−２３２Ｃ、ＵＳＢまたはＩＥＥＥ１３９４の規格に従った通信が可能なものであることを特徴とする、請求項３３に記載の画像印刷システム。
【請求項３５】
前記第１インタフェースは、セントロニクスの規格に従った通信が可能なものであることを特徴とする、請求項３３に記載の画像印刷システム。
【請求項３６】
前記印刷画像通信手段は、
前記印刷画像データを第２インタフェースを介して送信する画像データ送信手段と、
前記第２インタフェースを介して前記印刷画像データを受信して前記Ｋ個のラインデータに分割するデータ分割手段と、
分割された前記Ｋ個のラインデータを１個ずつ順次、前記第１インタフェースを介して送信するラインデータ送信手段と、
を有することを特徴とする、請求項３３ないし３５のいずれかに記載の画像印刷システム。
【請求項３７】
前記第２インタフェースは、所定のネットワークを介したものであることを特徴とする、請求項３６に記載の画像印刷システム。
【請求項３８】
前記ネットワークには、インターネットが含まれることを特徴とする、請求項３７に記載の画像印刷システム。
【請求項３９】
前記ネットワークには、所定のローカルエリアネットワークが含まれることを特徴とする、請求項３７または３８に記載の画像印刷システム。
【請求項４０】
前記第２インタフェースは、ＩＥＥＥ標準ＬＡＮ準拠の通信プロトコルに従った通信が可能なものであることを特徴とする、請求項３６ないし３９のいずれかに記載の画像印刷システム。
【請求項４１】
前記第２インタフェースは、イーサネット、ＦＤＤＩおよびＡＴＭの少なくとも１のデータリンクプロトコルに従った通信が可能なものであることを特徴とする、請求項３６ないし４０のいずれかに記載の画像印刷システム。
【請求項４２】
請求項２３ないし４１のいずれか１項に記載の各手段と、前記印刷対象物に印刷されたＮ個の印刷画像のうちの各１個ずつの印刷画像の部分を利用して、前記印刷画像が各１個ずつ印刷されたラベルを作成する印刷画像部分利用手段と、
を備えたことを特徴とするラベル作成システム。
【請求項４３】
前記印刷画像部分利用手段は、
前記印刷対象物の前記各１個ずつの印刷画像の部分を切り離す印刷画像部分切断手段を有することを特徴とする、請求項４２に記載のラベル作成システム。
【請求項４４】
前記印刷対象物は、裏面の剥離層を剥離することにより、前記印刷画像が表面に印刷された状態で所定の貼付対象物に貼付可能に構成されたものであることを特徴とする、請求項４２または４３に記載のラベル作成システム。
【発明の詳細な説明】
【０００１】
【発明の属する技術分野】
本発明は、所望の印刷画像を複数印刷する画像印刷方法、画像印刷装置および画像印刷システム、並びに、その印刷画像が印刷されたラベルを作成するラベル作成方法およびラベル作成システムに関する。
【０００２】
【従来の技術】
所望の印刷画像をＮ（Ｎは２以上の整数）個印刷する場合、一般に、その印刷画像を表現する印刷画像データに基づいて１個の印刷画像を印刷し、それをＮ回繰り返す。あるいは、メモリ容量の制限が厳しくなければ、印刷画像データをＮ個分コピーして並べた統合の印刷画像データを用意してから、その統合の印刷画像データに基づいて、所望の印刷画像のＮ個分を一挙に印刷することもできる。
【０００３】
ところで、例えば輪郭ライン等の画像処理品質や画像編集能力が高いパソコンあるいはワークステーション等の画像作成装置によって、所望の印刷画像の印刷画像データを作成し、作成された印刷画像データを高速かつ高（印刷）品質の画像印刷装置に送信し、その画像印刷装置によって、受信された印刷画像データに基づいて所望の印刷画像を印刷する場合がある（図１参照）。このような画像印刷システムの場合、パソコン等の画像作成装置において印刷画像データ作成の利便性が得られ、一方の画像印刷装置においては印刷の高速性と高品質性が得られる。
【０００４】
【発明が解決しようとする課題】
しかしながら、この種の画像印刷システムに使用される従来の画像印刷装置では、印刷画像データを受信した後でなければ、印刷画像の複数印刷ができないので、画像作成装置や画像印刷装置の性能が高くても、画像作成装置から画像印刷装置への印刷画像データの転送（通信）速度が遅い場合、その通信速度の制限により印刷の高速化がしにくい。例えばＪ（Ｊは２以上の整数）ドット×Ｋ（Ｋは２以上の整数）ドットの印刷画像をＮ（Ｎは２以上の整数）個印刷する場合に、Ｊドットの１ライン分を表現する各ラインデータの単位で通信し、Ｋライン分に対応するＫ個のラインデータを順次通信するときには、Ｋ個のラインデータを受信後でなければ、印刷画像のＮ個印刷ができない。このような通信速度の印刷速度への影響は、通信する印刷画像データが大きい（容量が多い）場合に、例えばカラー画像等のように１ドットに対する情報量（階調値指定の情報等）が多い場合や印刷画像のサイズ（ドット数）が大きい場合などに、特に顕著となる。
【０００５】
そこで、本発明は、所望の印刷画像を表現する印刷画像データを、そのうちの１ライン分を表現する各ラインデータの単位で通信しつつ、その印刷画像の複数印刷を高速化できる画像印刷方法、画像印刷装置および画像印刷システム、並びに、その印刷画像が印刷されたラベルを作成するラベル作成方法およびラベル作成システムを提供することを目的とする。
【０００６】
【課題を解決するための手段】
本発明の請求項１の画像印刷方法は、２次元直交座標の互いに直交する２軸をＸ軸およびＹ軸としたときに、前記Ｘ軸方向にＪ（Ｊは２以上の整数）ドットおよび前記Ｙ軸方向にＫ（Ｋは２以上の整数）ドットのＪドット×Ｋドットの印刷画像を、印刷対象物の前記Ｘ軸方向にＮ（Ｎは２以上の整数）個並べて印刷する画像印刷方法であって、前記印刷画像を表現する印刷画像データのうちの、前記Ｘ軸方向に並ぶＪドットの１ライン分を表現する各ラインデータを、所定の通信プロトコルに従って所定の通信相手から順次受信することにより、前記Ｙ軸方向のＫライン分に対応するＫ個のラインデータを順次受信するラインデータ受信工程と、前記Ｋラインのうちのｋ（ｋは１≦ｋ≦Ｋとなる任意の整数）番目のラインデータを受信したときに、それを第ｋ短ラインデータとしてＮ個分コピーして順次並べることにより、前記Ｊドットの１ライン分を前記Ｘ軸方向にＮ個並べたＪ×Ｎドットの１ライン分を表現する第ｋ長ラインデータを作成する長ラインデータ作成工程と、作成された前記第ｋ長ラインデータによって表現されるＪ×Ｎドットの１ラインをｋライン目として、前記印刷対象物の前記Ｘ軸方向に印刷するライン印刷工程と、を備えたことを特徴とする。
【０００７】
また、請求項２３の画像印刷装置は、２次元直交座標の互いに直交する２軸をＸ軸およびＹ軸としたときに、前記Ｘ軸方向にＪ（Ｊは２以上の整数）ドットおよび前記Ｙ軸方向にＫ（Ｋは２以上の整数）ドットのＪドット×Ｋドットの印刷画像を、印刷対象物の前記Ｘ軸方向にＮ（Ｎは２以上の整数）個並べて印刷する画像印刷装置であって、前記印刷画像を表現する印刷画像データのうちの、前記Ｘ軸方向に並ぶＪドットの１ライン分を表現する各ラインデータを、所定の通信プロトコルに従って所定の通信相手から順次受信することにより、前記Ｙ軸方向のＫライン分に対応するＫ個のラインデータを順次受信するラインデータ受信手段と、前記Ｋラインのうちのｋ（ｋは１≦ｋ≦Ｋとなる任意の整数）番目のラインデータを受信したときに、それを第ｋ短ラインデータとしてＮ個分コピーして順次並べることにより、前記Ｊドットの１ライン分を前記Ｘ軸方向にＮ個並べたＪ×Ｎドットの１ライン分を表現する第ｋ長ラインデータを作成する長ラインデータ作成手段と、作成された前記第ｋ長ラインデータによって表現されるＪ×Ｎドットの１ラインをｋライン目として、前記印刷対象物の前記Ｘ軸方向に印刷するライン印刷手段と、を備えたことを特徴とする。
【０００８】
この画像印刷方法および画像印刷装置では、基本的には、２次元直交座標の互いに直交する２軸をＸ軸およびＹ軸としたときに、Ｘ軸方向にＪ（Ｊは２以上の整数）ドット×Ｙ軸方向にＫ（Ｋは２以上の整数）ドットの印刷画像を、印刷対象物のＸ軸方向にＮ（Ｎは２以上の整数）個並べて印刷する。また、印刷画像を表現する印刷画像データのうちの、Ｘ軸方向に並ぶＪドットの１ライン分を表現する各ラインデータを、所定の通信プロトコルに従って所定の通信相手から順次受信することにより、Ｙ軸方向のＫライン分に対応するＫ個のラインデータを順次受信する。
【０００９】
そこで、この画像印刷方法および画像印刷装置では、Ｋラインのうちのｋ（ｋは１≦ｋ≦Ｋとなる任意の整数）番目のラインデータを受信したときに、それを第ｋ短ラインデータとしてＮ個分コピーして順次並べることにより、Ｊドットの１ライン分をＸ軸方向にＮ個並べたＪ×Ｎドットの１ライン分を表現する第ｋ長ラインデータを作成し、作成された第ｋ長ラインデータによって表現されるＪ×Ｎドットの１ラインをｋライン目として、印刷対象物のＸ軸方向に印刷する。この場合、ｋ番目のラインデータ（第ｋ短ラインデータ）を受信した後であれば、それをＮ個分コピーして第ｋ長ラインデータを作成でき、Ｋ個全てのラインデータの受信、すなわち印刷画像データ全体の受信を待たなくても、Ｊドットの１ライン分の各ラインデータを受信する毎に、Ｊ×Ｎドットの１ライン分の印刷ができる。すなわち、印刷画像データの通信とその後の印刷画像データに基づく印刷画像の複数印刷とを並列処理できる。したがって、この画像印刷方法および画像印刷装置では、所望の印刷画像を表現する印刷画像データを、そのうちの１ライン分を表現する各ラインデータの単位で通信しつつ、その印刷画像の複数印刷を高速化できる。
【００１０】
また、請求項１の画像印刷方法において、前記印刷画像の印刷数である前記Ｎを指定する印刷数指定工程をさらに備えたことが好ましい。
【００１１】
また、請求項２３の画像印刷装置において、前記印刷画像の印刷数である前記Ｎを指定する印刷数指定手段をさらに備えたことが好ましい。
【００１２】
この画像印刷方法および画像印刷装置では、印刷画像の印刷数Ｎを指定するので、Ｊドットの１ライン分を表現する第ｋ短ラインデータに基づいて、Ｊ×Ｎドットの１ライン分を表現する第ｋ長ラインデータを容易に作成できる。
【００１３】
また、請求項１の画像印刷方法において、前記印刷画像の印刷数である前記Ｎを示す印刷数データを受信する印刷数データ受信工程をさらに備えたことが好ましい。
【００１４】
また、請求項２３の画像印刷装置において、前記印刷画像の印刷数である前記Ｎを示す印刷数データを受信する印刷数データ受信手段をさらに備えたことが好ましい。
【００１５】
この画像印刷方法および画像印刷装置では、印刷画像の印刷数Ｎを示す印刷数データを受信するので、Ｊドットの１ライン分を表現する第ｋ短ラインデータに基づいて、Ｊ×Ｎドットの１ライン分を表現する第ｋ長ラインデータを容易に作成できる。
【００１６】
また、請求項１の画像印刷方法において、前記第ｋ長ラインデータに基づいて前記Ｘ軸方向に印刷可能な所定印刷可能ドット数Ｍが定められており、前記印刷画像の印刷数である前記Ｎを、前記印刷画像のＸ軸方向のドット数Ｊおよび前記所定印刷可能ドット数Ｍに基づいて決定する印刷数決定工程をさらに備えたことが好ましい。
【００１７】
また、請求項２３の画像印刷装置において、前記第ｋ長ラインデータに基づいて前記Ｘ軸方向に印刷可能な所定印刷可能ドット数Ｍが定められており、前記印刷画像の印刷数である前記Ｎを、前記印刷画像のＸ軸方向のドット数Ｊおよび前記所定印刷可能ドット数Ｍに基づいて決定する印刷数決定手段をさらに備えたことが好ましい。
【００１８】
この画像印刷方法および画像印刷装置では、第ｋ長ラインデータに基づいてＸ軸方向に印刷可能な所定印刷可能ドット数Ｍが定められている。すなわち、Ｊ×Ｎ≦Ｍとなるため、印刷画像の印刷数Ｎを、印刷画像のＸ軸方向のドット数Ｊと所定印刷可能ドット数Ｍに基づいて決定でき、これにより、Ｊドットの１ライン分を表現する第ｋ短ラインデータに基づいて、Ｊ×Ｎドットの１ライン分を表現する第ｋ長ラインデータを容易に作成できる。
【００１９】
また、請求項１の画像印刷方法において、前記第ｋ長ラインデータに基づいて前記Ｘ軸方向に印刷可能な所定印刷可能長さＬが定められており、前記印刷画像の印刷数である前記Ｎを、前記印刷画像のＸ軸方向のドット数Ｊ、印刷密度および前記所定印刷可能長さＬに基づいて決定する印刷数決定工程をさらに備えたことが好ましい。
【００２０】
また、請求項２３の画像印刷装置において、前記第ｋ長ラインデータに基づいて前記Ｘ軸方向に印刷可能な所定印刷可能長さＬが定められており、前記印刷画像の印刷数である前記Ｎを、前記印刷画像のＸ軸方向のドット数Ｊ、印刷密度および前記所定印刷可能長さＬに基づいて決定する印刷数決定手段をさらに備えたことが好ましい。
【００２１】
この画像印刷方法および画像印刷装置では、第ｋ長ラインデータに基づいてＸ軸方向に印刷可能な所定印刷可能長さＬが定められている。すなわち、Ｊ×Ｎ×印刷密度≦Ｌとなるため、印刷画像の印刷数Ｎを、印刷画像のＸ軸方向のドット数Ｊと印刷密度と所定印刷可能長さＬに基づいて決定でき、これにより、Ｊドットの１ライン分を表現する第ｋ短ラインデータに基づいて、Ｊ×Ｎドットの１ライン分を表現する第ｋ長ラインデータを容易に作成できる。
【００２２】
また、請求項５の画像印刷方法において、前記印刷密度を指定する印刷密度指定工程をさらに備えたことが好ましい。
【００２３】
また、請求項２７の画像印刷装置において、前記印刷密度を指定する印刷密度指定手段をさらに備えたことが好ましい。
【００２４】
この画像印刷方法および画像印刷装置では、印刷密度を指定するので、Ｊ×Ｎ×印刷密度≦Ｌとなる印刷画像の印刷数Ｎを容易に決定でき、これにより、第ｋ短ラインデータに基づいて、第ｋ長ラインデータを容易に作成できる。
【００２５】
また、請求項５の画像印刷方法において、前記印刷密度を示す印刷密度データを受信する印刷密度受信工程をさらに備えたことが好ましい。
【００２６】
また、請求項２７の画像印刷装置において、前記印刷密度を示す印刷密度データを受信する印刷密度受信手段をさらに備えたことが好ましい。
【００２７】
この画像印刷方法および画像印刷装置では、印刷密度を示す印刷密度データを受信するので、Ｊ×Ｎ×印刷密度≦Ｌとなる印刷画像の印刷数Ｎを容易に決定でき、これにより、第ｋ短ラインデータに基づいて、第ｋ長ラインデータを容易に作成できる。
【００２８】
また、請求項４ないし７のいずれかの画像印刷方法において、受信したラインデータに基づいて前記ドット数Ｊを検出するドット数検出工程をさらに備えたことが好ましい。
【００２９】
また、請求項２６ないし２９のいずれかの画像印刷装置において、受信したラインデータに基づいて前記ドット数Ｊを検出するドット数検出手段をさらに備えたことが好ましい。
【００３０】
この画像印刷方法および画像印刷装置では、受信したラインデータに基づいてドット数Ｊを検出するので、印刷画像の印刷数Ｎを容易に決定でき、これにより、第ｋ短ラインデータに基づいて、第ｋ長ラインデータを容易に作成できる。
【００３１】
また、請求項４ないし７のいずれかの画像印刷方法において、前記ドット数Ｊを示すドット数データを受信するドット数データ受信工程をさらに備えたことが好ましい。
【００３２】
また、請求項２６ないし２９のいずれかの画像印刷装置において、前記ドット数Ｊを示すドット数データを受信するドット数データ受信手段をさらに備えたことが好ましい。
【００３３】
この画像印刷方法および画像印刷装置では、ドット数Ｊを示すドット数データを受信するので、受信したドット数データが示すドット数Ｊを用いて印刷画像の印刷数Ｎを容易に決定でき、これにより、第ｋ短ラインデータに基づいて、第ｋ長ラインデータを容易に作成できる。
【００３４】
また、請求項１ないし９のいずれかの画像印刷方法において、前記印刷対象物は、長尺状であり、その長手方向が前記Ｘ軸方向と一致するように装着されることが好ましい。
【００３５】
また、請求項２３ないし３１のいずれかの画像印刷装置において、前記印刷対象物は、長尺状であり、その長手方向が前記Ｘ軸方向と一致するように装着されることが好ましい。
【００３６】
この画像印刷方法および画像印刷装置では、印刷対象物は、長尺状であり、その長手方向がＸ軸方向と一致するように装着される。すなわち、長尺状の長手方向に印刷画像を並べて印刷できるので、印刷画像の印刷数Ｎを大きくしやすい。このため、受信したＪドットの１ライン分を表現する第ｋ短ラインデータに基づいて、より多くの（大きなＮに対応する数の）印刷画像のＪ×Ｎドットの１ライン分を表現する第ｋ長ラインデータを容易に作成でき、これにより、印刷画像データの通信と印刷画像の複数印刷との処理の並列度を高めることができ、所望の印刷画像を表現する印刷画像データを、そのうちの１ライン分を表現する各ラインデータの単位で通信しつつ、その印刷画像の複数印刷をさらに高速化できる。
【００３７】
また、請求項１１の画像印刷方法は、請求項１ないし１０のいずれか１項に記載の各工程と、前記印刷画像データを作成する印刷画像作成工程と、作成された前記印刷画像データのうちの前記Ｋ個のラインデータを第１インタフェースを介して順次送信する印刷画像通信工程と、を備え、前記ラインデータ受信工程では、前記第１インタフェースを介して前記Ｋ個のラインデータを受信することを特徴とする。
【００３８】
また、請求項３３の画像印刷システムは、請求項２３ないし３２のいずれか１項に記載の各手段と、前記印刷画像データを作成する印刷画像作成手段と、作成された前記印刷画像データのうちの前記Ｋ個のラインデータを第１インタフェースを介して順次送信する印刷画像通信手段と、を備え、前記ラインデータ受信手段では、前記第１インタフェースを介して前記Ｋ個のラインデータを受信することを特徴とする。
【００３９】
この画像印刷方法および画像印刷システムでは、印刷画像データを作成し、作成された印刷画像データのうちのＫ個のラインデータを第１インタフェースを介して順次送信し、受信側では、請求項１ないし１０または請求項２７ないし３６で上述のように、Ｋラインのうちのｋ番目のラインデータ（第ｋ短ラインデータ）を受信したときに、Ｊドットの１ライン分をＸ軸方向にＮ個並べたＪ×Ｎドットの１ライン分を表現する第ｋ長ラインデータを作成し、作成された第ｋ長ラインデータによって表現されるＪ×Ｎドットの１ラインをｋライン目として、印刷対象物のＸ軸方向に印刷する。したがって、この画像印刷方法および画像印刷システムでは、所望の印刷画像を表現する印刷画像データを、そのうちの１ライン分を表現する各ラインデータの単位で、第１インタフェースを介して通信しつつ、その印刷画像の複数印刷を高速化できる。
【００４０】
また、請求項１１の画像印刷方法において、前記第１インタフェースは、ＲＳ−２３２Ｃ、ＵＳＢまたはＩＥＥＥ１３９４の規格に従った通信が可能なものであることが好ましい。
【００４１】
また、請求項３３の画像印刷システムにおいて、前記第１インタフェースは、ＲＳ−２３２Ｃ、ＵＳＢまたはＩＥＥＥ１３９４の規格に従った通信が可能なものであることが好ましい。
【００４２】
この画像印刷方法および画像印刷システムでは、第１インタフェースは、ＲＳ−２３２Ｃ、ＵＳＢまたはＩＥＥＥ１３９４の規格に従った通信が可能なものなので、所望の印刷画像を表現する印刷画像データを、各ラインデータの単位で、ＲＳ−２３２Ｃ、ＵＳＢまたはＩＥＥＥ１３９４の規格に従って通信しつつ、その印刷画像の複数印刷を高速化できる。
【００４３】
また、請求項１１の画像印刷方法において、前記第１インタフェースは、セントロニクスの規格に従った通信が可能なものであることが好ましい。
【００４４】
また、請求項３３の画像印刷システムにおいて、前記第１インタフェースは、セントロニクスの規格に従った通信が可能なものであることが好ましい。
【００４５】
この画像印刷方法および画像印刷システムでは、第１インタフェースは、セントロニクスの規格に従った通信が可能なものなので、所望の印刷画像を表現する印刷画像データを、各ラインデータの単位で、セントロニクスの規格に従って通信しつつ、その印刷画像の複数印刷を高速化できる。
【００４６】
また、請求項１１ないし１３のいずれかの画像印刷方法において、前記印刷画像通信工程は、前記印刷画像データを第２インタフェースを介して送信する画像データ送信工程と、前記第２インタフェースを介して前記印刷画像データを受信して前記Ｋ個のラインデータに分割するデータ分割工程と、分割された前記Ｋ個のラインデータを１個ずつ順次、前記第１インタフェースを介して送信するラインデータ送信工程と、を有することが好ましい。
【００４７】
また、請求項３３ないし３５のいずれかの画像印刷システムにおいて、前記印刷画像通信手段は、前記印刷画像データを第２インタフェースを介して送信する画像データ送信手段と、前記第２インタフェースを介して前記印刷画像データを受信して前記Ｋ個のラインデータに分割するデータ分割手段と、分割された前記Ｋ個のラインデータを１個ずつ順次、前記第１インタフェースを介して送信するラインデータ送信手段と、を有することが好ましい。
【００４８】
この画像印刷方法および画像印刷システムでは、印刷画像データを作成し、作成された印刷画像データを第２インタフェースを介して送信し、受信側では、受信した印刷画像データをＫ個のラインデータに分割して、Ｋ個のラインデータを第１インタフェースを介して１個ずつ順次送信し、以下、請求項１１ないし１３または請求項３３ないし３５で上述と同様に、第ｋ短ラインデータに基づいて第ｋ長ラインデータを作成し、作成された第ｋ長ラインデータによって表現されるＪ×Ｎドットの１ラインをｋライン目として、印刷対象物のＸ軸方向に印刷する。したがって、この画像印刷方法および画像印刷システムでは、所望の印刷画像を表現する印刷画像データを第２インタフェースを介して通信し、かつ、その印刷画像データのうちの１ライン分を表現する各ラインデータの単位で、第１インタフェースを介して通信しつつ、その印刷画像の複数印刷を高速化できる。
【００４９】
また、請求項１４の画像印刷方法において、前記第２インタフェースは、所定のネットワークを介したものであることが好ましい。
【００５０】
また、請求項３６の画像印刷システムにおいて、前記第２インタフェースは、所定のネットワークを介したものであることが好ましい。
【００５１】
この画像印刷方法および画像印刷システムでは、第２インタフェースは、所定のネットワークを介したものなので、所望の印刷画像を表現する印刷画像データを、所定のネットワークを介した第２インタフェースを介して通信し、かつ、その印刷画像データのうちの１ライン分を表現する各ラインデータの単位で、第１インタフェースを介して通信しつつ、その印刷画像の複数印刷を高速化できる。
【００５２】
また、請求項１５の画像印刷方法において、前記ネットワークには、インターネットが含まれることが好ましい。
【００５３】
また、請求項３７の画像印刷システムにおいて、前記ネットワークには、インターネットが含まれることが好ましい。
【００５４】
この画像印刷方法および画像印刷システムでは、ネットワークには、インターネットが含まれるので、第２インタフェースは、インターネットを含む所定のネットワークを介したものである。このため、この画像印刷方法および画像印刷システムでは、所望の印刷画像を表現する印刷画像データを、インターネットを含むネットワークを介した第２インタフェースを介して通信し、かつ、その印刷画像データのうちの１ライン分を表現する各ラインデータの単位で、第１インタフェースを介して通信しつつ、その印刷画像の複数印刷を高速化できる。
【００５５】
また、請求項１５または１６の画像印刷方法において、前記ネットワークには、所定のローカルエリアネットワークが含まれることが好ましい。
【００５６】
また、請求項３７または３８の画像印刷システムにおいて、前記ネットワークには、所定のローカルエリアネットワークが含まれることが好ましい。
【００５７】
この画像印刷方法および画像印刷システムでは、ネットワークには、所定のローカルエリアネットワーク（ＬＡＮ）が含まれるので、第２インタフェースは、所定のＬＡＮを含むネットワークを介したものである。このため、この画像印刷方法および画像印刷システムでは、所望の印刷画像を表現する印刷画像データを、ＬＡＮを含む所定のネットワークを介した第２インタフェースを介して通信し、かつ、その印刷画像データのうちの１ライン分を表現する各ラインデータの単位で、第１インタフェースを介して通信しつつ、その印刷画像の複数印刷を高速化できる。
【００５８】
また、請求項１４ないし１７のいずれかの画像印刷方法において、前記第２インタフェースは、ＩＥＥＥ標準ＬＡＮ準拠の通信プロトコルに従った通信が可能なものであることが好ましい。
【００５９】
また、請求項３６ないし３９のいずれかの画像印刷システムにおいて、前記第２インタフェースは、ＩＥＥＥ標準ＬＡＮ準拠の通信プロトコルに従った通信が可能なものであることが好ましい。
【００６０】
この画像印刷方法および画像印刷システムでは、第２インタフェースは、ＩＥＥＥ標準ＬＡＮ準拠の通信プロトコルに従った通信が可能なものなので、所望の印刷画像を表現する印刷画像データを、ＩＥＥＥ標準ＬＡＮ準拠の通信プロトコルに従って第２インタフェースを介して通信し、かつ、その印刷画像データのうちの１ライン分を表現する各ラインデータの単位で、第１インタフェースを介して通信しつつ、その印刷画像の複数印刷を高速化できる。
【００６１】
また、請求項１４ないし１８のいずれかの画像印刷方法において、前記第２インタフェースは、イーサネット、ＦＤＤＩおよびＡＴＭの少なくとも１のデータリンクプロトコルに従った通信が可能なものであることが好ましい。
【００６２】
また、請求項３６ないし４０のいずれかの画像印刷システムにおいて、前記第２インタフェースは、イーサネット、ＦＤＤＩおよびＡＴＭの少なくとも１のデータリンクプロトコルに従った通信が可能なものであることが好ましい。
【００６３】
この画像印刷方法および画像印刷システムでは、第２インタフェースは、イーサネット、ＦＤＤＩおよびＡＴＭの少なくとも１のデータリンクプロトコルに従った通信が可能なものなので、所望の印刷画像を表現する印刷画像データを、イーサネット、ＦＤＤＩおよびＡＴＭの少なくとも１のデータリンクプロトコルに従って第２インタフェースを介して通信し、かつ、その印刷画像データのうちの１ライン分を表現する各ラインデータの単位で、第１インタフェースを介して通信しつつ、その印刷画像の複数印刷を高速化できる。なお、データリンクプロトコルとしては、これらの他、Ｔｏｋｅｎ  Ｒｉｎｇ、１００ＶＧ−ＡｎｙＬＡＮ、Ｆｉｂｅｒ  Ｃｈａｎｎｅｌ、ＨＩＰＰＩ、ＩＥＥＥ１３９４（ファイヤワイヤ（Ｆｉｒｅ  Ｗｉｒｅ））等を利用することもできる。
【００６４】
また、請求項２０のラベル作成方法は、請求項１ないし１９のいずれか１項に記載の各工程と、前記印刷対象物に印刷されたＮ個の印刷画像のうちの各１個ずつの印刷画像の部分を利用して、前記印刷画像が各１個ずつ印刷されたラベルを作成する印刷画像部分利用工程と、を備えたことを特徴とする。
【００６５】
また、請求項４２のラベル作成システムは、請求項２３ないし４１のいずれか１項に記載の各手段と、前記印刷対象物に印刷されたＮ個の印刷画像のうちの各１個ずつの印刷画像の部分を利用して、前記印刷画像が各１個ずつ印刷されたラベルを作成する印刷画像部分利用手段と、を備えたことを特徴とする。
【００６６】
このラベル作成方法およびラベル作成システムでは、請求項１ないし１９または請求項２３ないし４１で上述のように、Ｎ個の印刷画像を高速印刷できるので、印刷対象物に印刷されたＮ個の印刷画像のうちの各１個ずつの印刷画像の部分を利用して、印刷画像が各１個ずつ印刷されたラベルを作成できる。
【００６７】
また、請求項２０のラベル作成方法において、前記印刷画像部分利用工程は、前記印刷対象物の前記各１個ずつの印刷画像の部分を切り離す印刷画像部分切断工程を有することが好ましい。
【００６８】
また、請求項４２のラベル作成システムにおいて、前記印刷画像部分利用手段は、前記印刷対象物の前記各１個ずつの印刷画像の部分を切り離す印刷画像部分切断手段を有することが好ましい。
【００６９】
このラベル作成方法およびラベル作成システムでは、印刷対象物の各１個ずつの印刷画像の部分を切り離すことにより、印刷画像が各１個ずつ印刷されたラベルを作成できる。
【００７０】
また、請求項２０または２１のラベル作成方法において、前記印刷対象物は、裏面の剥離層を剥離することにより、前記印刷画像が表面に印刷された状態で所定の貼付対象物に貼付可能に構成されたものであることが好ましい。
【００７１】
また、請求項４２または４３のラベル作成システムにおいて、前記印刷対象物は、裏面の剥離層を剥離することにより、前記印刷画像が表面に印刷された状態で所定の貼付対象物に貼付可能に構成されたものであることが好ましい。
【００７２】
このラベル作成方法およびラベル作成システムでは、印刷対象物は、裏面の剥離層を剥離することにより、印刷画像が表面に印刷された状態で所定の貼付対象物に貼付可能に構成されたものなので、印刷対象物に印刷されたＮ個の印刷画像のうちの各１個ずつの印刷画像の部分を利用して、印刷画像が各１個ずつ印刷されたラベルを作成すれば、それらは、剥離層を剥離することで所定の貼付対象物に貼付可能なラベルとなる。
【００７３】
【発明の実施の形態】
以下、本発明の一実施形態に係る画像印刷方法、画像印刷装置、画像印刷システム、ラベル作成方法およびラベル作成システムを適用した画像印刷システムについて、添付図面を参照しながら詳細に説明する。
【００７４】
まず、図１に示すように、この画像印刷システムＰＳＹＳは、パソコンやエンジニアリングワークステーション（ＥＷＳ）等を有して、所望の印刷画像の印刷画像データを作成するための画像作成システム（または装置）ＷＳ０と、印刷画像データに基づいて印刷画像を印刷する画像印刷装置１と、を備え、画像作成システムＷＳ０によって作成された印刷画像データは、そのうちの１ライン分を表現する各ラインデータの単位で第１インタフェースＩＦ１を介して画像印刷装置１へ転送（送信）される。
【００７５】
次に、図１ないし図３に示すように、画像印刷装置１では、（図示右側に）リール状で供給（装着）されるテープＴを印刷対象物とし、ペーパーフィード（ＰＦ）モータＭＰＦにより駆動されるＰＦローラ１１によって、印刷のための作業エリアとなる吸着ユニット１２にテープＴを繰り出し、ヘッドユニット６に搭載された（詳細は図外の）印刷ヘッド群（インクジェットヘッド群）ＰＨによりテープＴに所望の印刷を行い、印刷済み部分は随時（図示左側に）送り出される。吸着ユニット１２は、印刷中には、図外のファンによってテープＴを所定の印刷位置に保持するようになっている。テープＴには、通常の紙テープのように、裏面に接着面がないタイプのものと、裏面に接着面が形成され剥離紙によって覆われたタイプのものがある。なお、図３に示すように、以下の説明においては、テープＴの長手方向をＸ軸方向または主走査方向、それに直交する方向をＹ軸方向または副走査方向とする。
【００７６】
ヘッドユニット６は、主走査ユニット１３上に搭載されたキャリッジＣＲと、そのキャリッジＣＲに着脱自在に装着された６色（黒（Ｋ）、黄（Ｙ）、マゼンタ（Ｍ）、シアン（Ｃ）、ライトマゼンタ（ＬＭ）、ライトシアン（ＬＣ））用のインクカートリッジＩＮＫと、キャリッジＣＲの下部にテープＴに対向可能なように搭載された印刷ヘッド群ＰＨとを備えている。ここで、主走査ユニット１３は、副走査キャリッジモータＭＣＲＹによって吸着ユニット１２の上部で副走査方向（Ｙ軸方向）に移動自在に駆動される。また、キャリッジＣＲは主走査キャリッジモータＭＣＲＸによって主走査方向（Ｘ軸方向）に移動自在に駆動されるので、これにより、ヘッドユニット６（の印刷ヘッド群ＰＨ）は、吸着ユニット１２の上部（すなわち印刷のための作業エリアの上部）に移動自在となっている。
【００７７】
なお、この場合の印刷可能領域（印刷可能エリア、作業可能エリア）ＷＰＡ（図９等参照）のテープＴ下流側（図示左側：Ｘの小さい側）で装置奥側（図２では奥側、図３では左上：Ｙの小さい側）を印刷開始位置ＰＳとして、主走査側（Ｘ側）のホームポジションを検出する主走査ホームポジションセンサＳＨＰＸが主走査ユニット１３上に配置され、副走査側（Ｙ側）のホームポジションを検出する副走査ホームポジションセンサＳＨＰＹが図示（キャリッジＣＲの上端を検出可能な筐体内側）の位置に配置されている。
【００７８】
また、主走査ユニット１３上には、所定の（例えば白黒による）パターン画像１３ｐが光学的に検出可能に設けられていて、キャリッジＣＲ上の対向位置に、そのパターン画像１３ｐのパターンを検出することによりキャリッジＣＲの位置を自己検出して印刷タイミングを捉えるための印刷タイミング検出センサＳＰＴＳが、設けられている。また、図３に示すように、上述の各部機構は、保護ケース１５に収容されている。なお、検出センサ類としては、上述の他、例えば開閉蓋１６の開閉を検出して駆動中であれば緊急停止をするための保護ケース開閉検出センサＳＯＰＮや、テープＴの先端部を検出する用紙位置検出センサＳＰＣなどが配設されている。
【００７９】
次に、画像印刷装置１を制御系から見ると、図４に示すように、表示ランプ４や操作キー３を有してユーザとの（マンマシン）インタフェースを行う操作部１０、印刷ヘッド周辺の制御を行うヘッド制御部６０、各種モータ等のアクチュエータの制御を行うアクチュエータ制御部７０、各部に電力を供給するための電源回路９０、および、画像印刷装置１内の各部を制御するための中枢を成すメイン制御部２０を備えている。
【００８０】
メイン制御部２０は、ＣＰＵ２１、メモリ２２、アドレスデコーダ２３、リアルタイムクロック２４を備える他、操作部とのインタフェースを行うための操作部入出力（操作部Ｉ／Ｏ）２５や、前述の第１インタフェースＩＦ１を介して通信を行うための画像データ入出力（画像データＩ／Ｏ）２６を備え、装置内で共通に使用される内部バス（ＣＰＵバス）８０により互いに接続されている。ヘッド制御部６０は、第１〜第４ヘッド制御ブロック６１〜６４を有している。なお、アクチュエータ制御部７０も、ヘッド制御部６０と同様に、複数の制御ブロック７１〜７３等を有しているが、ここでは詳細な説明は省略する。
【００８１】
図４および図５に示すように、ヘッド制御部６０の第１ヘッド制御ブロック６１は、ノズル共通制御部６１０と、第１〜第６ノズル制御部６１１〜６１６と、を備えている。
【００８２】
ノズル共通制御部６１０は、印刷タイミング検出センサＳＰＴＳによりパターン画像１３ｐのパターンを検出した検出信号（エンコーダ信号）１３ｓに基づいて印刷ヘッド群ＰＨの各ノズルからのインク吐出タイミングを制御するタイミング制御６１０１と、各ノズルの状態（ステータス）を管理するステータス制御６１０２と、イメージバッファ６１１１、６１２１、６１３１、６１４１、６１５１、６１６１におけるデータのバッファリングを管理するメモリマネージャ（Ｍ／Ｍ）６１０３と、を備えている。
【００８３】
第１ノズル制御部６１１は、Ｄ／Ａコンバータ（ＤＡＣ）６１１０と、イメージバッファ６１１１と、ヘッドノズル６１１３を駆動するヘッドドライバ６１１２と、を備えている。ＤＡＣ６１１０は、タイミング制御６１０１およびステータス制御６１０２からの制御信号（ディジタル信号）をヘッドドライバ６１１２を駆動するための（ピエゾ吐出のための）印加電圧の制御波形（アナログ信号）に変換するものである。他のノズル制御部６１２〜６１６も第１ノズル制御部６１１と同様に構成される。また、他のヘッド制御ブロック６２〜６４も上述の第１ヘッド制御ブロック６１と同様に構成される。
【００８４】
ここで、第１ヘッド制御ブロック６１によって制御される６個のヘッドノズル６１１３、６１２３、６１３３、６１４３、６１５３、６１６３は、例えばそれぞれ１８０ノズルから成るノズル列であり、それぞれ６色（黒（Ｋ）、黄（Ｙ）、マゼンタ（Ｍ）、シアン（Ｃ）、ライトマゼンタ（ＬＭ）、ライトシアン（ＬＣ））のうちの１色のインクを吐出するノズル列である。例えば図６（ａ）に示すように、各２列のノズル列を有する３個の印刷ヘッドＨ１〜Ｈ３を印刷ヘッド群ＰＨ（１）として、第１ヘッド制御ブロック６１による制御対象とし、同様の印刷ヘッド群ＰＨ（２）、ＰＨ（３）、ＰＨ（４）を、それぞれ第２〜第４ヘッド制御ブロック６２〜６４とすると、本実施形態における印刷ヘッド群ＰＨは、同図（ｂ）に示すように、印刷ヘッド群ＰＨ（１）〜ＰＨ（４）を備え、３ヘッド×４の１２ヘッド構成になる。
【００８５】
なお、この他、３ヘッド×６の１８ヘッド構成や３ヘッド×３の９ヘッド構成のように、仕様変更等に応じて制御ブロックの数を変更しても良い。また、この場合、例えば１個のヘッド制御ブロックを１基板（ヘッド制御基板）によって構成することにより、基板の挿脱（着脱）のみで、構成変更（仕様変更）をできるようにしても良い。
【００８６】
ところで、画像印刷装置１では、図１や図４でも上述のように、画像作成システムＷＳ０によって作成された印刷画像データを第１インタフェースＩＦ１を介して受信する。この場合、画像作成システムＷＳ０からは、印刷画像データのうちの１ライン分を表現する各ラインデータの単位で第１インタフェースＩＦ１を介して画像印刷装置１へ送信される。
【００８７】
例えば図７（ａ）に示すように、Ｘ軸方向にＪ（Ｊは２以上の整数）ドット×Ｙ軸方向にＫ（Ｋは２以上の整数）ドットの印刷画像ＤＳの場合、印刷画像ＤＳを表現する印刷画像データのうちの、Ｘ軸方向に並ぶＪドットの１ライン分を表現する各ラインデータを、画像作成システム（所定の通信相手）ＷＳ０から第１インタフェースＩＦ１を介して順次受信することにより、Ｙ軸方向のＫライン分に対応するＫ個のラインデータを順次受信する。
【００８８】
この場合、画像印刷装置１では、図４で前述のように、画像データＩ／Ｏ２６により第１インタフェースＩＦ１を介してＫ個のラインデータを順次受信する。また、印刷対象物のＸ軸方向にＮ（Ｎは２以上の整数）個並べて印刷する場合、図７（ｂ）に示すように、印刷画像ＤＳと同じＮ個の印刷画像Ｄ０（１）〜Ｄ（Ｎ）を印刷する。
【００８９】
ここで、図７（ａ）に示すように、印刷画像ＤＳに対するＫ個（Ｋライン）のうちのｋ（ｋは１≦ｋ≦Ｋとなる任意の整数）番目のラインデータを第ｋ短ラインデータＤＳＬ（ｋ）とする。画像印刷装置１では、画像データＩ／Ｏ２６により第ｋ短ラインデータＤＳＬ（ｋ）を受信すると、内部バス８０を介してヘッド制御部６０に送出する。ヘッド制御部６０では、その第ｋ短ラインデータＤＳＬ（ｋ）を受け取ると、それが何番目のラインデータか（すなわちｋ）および何色の指定か（何色の階調値を示したものか等）などの情報に基づいて（ＣＰＵ２１の指示によりあるいは自己判別して）、それに応じたヘッド制御ブロックのイメージバッファ（例えば第１ヘッド制御ブロック６１のイメージバッファ６１１１等）に第ｋ短ラインデータＤＳＬ（ｋ）を格納する。
【００９０】
第ｋ短ラインデータＤＳＬ（ｋ）を格納すると、画像印刷装置１では、同一のイメージバッファ（例えばイメージバッファ６１１１）内に、Ｎ個分コピーして順次並べることにより、Ｊドットの１ライン分をＸ軸方向にＮ個並べたＪ×Ｎドットの１ライン分を表現する第ｋ長ラインデータＤＬＬ（ｋ）を作成する。例えばＮ＝４個とすると、図７（ｃ）に示すように、Ｊドットの１ライン分をＸ軸方向に４（＝Ｎ）個並べたＪ×４ドットの１ライン分を表現する第ｋ長ラインデータＤＬＬ（ｋ）を作成する。
【００９１】
そして、作成された第ｋ長ラインデータＤＬＬ（ｋ）によって表現されるＪ×Ｎドット（上述の例ではＮ＝４）の１ラインをｋライン目として、テープ（印刷対象物）ＴのＸ軸方向に印刷する。この場合、ｋ番目のラインデータ（第ｋ短ラインデータ）ＤＳＬ（ｋ）を受信した後であれば、それをＮ個分コピーして第ｋ長ラインデータＤＬＬ（ｋ）を作成でき、Ｋ個全てのラインデータの受信、すなわち印刷画像データ全体の受信を待たなくても、Ｊドットの１ライン分の各ラインデータを受信する毎に、Ｊ×Ｎドットの１ライン分の印刷ができる。
【００９２】
すなわち、印刷画像データの通信とその後の印刷画像データに基づく印刷画像の複数印刷とを並列処理できる。したがって、この画像印刷装置１では、所望の印刷画像を表現する印刷画像データを、そのうちの１ライン分を表現する各ラインデータの単位で通信しつつ、その印刷画像の複数印刷を高速化できる。
【００９３】
ここで、本実施形態の画像印刷装置１においては、操作キー３を使用して印刷画像の印刷数Ｎを指定できる。このため、Ｊドットの１ライン分を表現する第ｋ短ラインデータＤＳＬ（ｋ）に基づいて、Ｊ×Ｎドットの１ライン分を表現する第ｋ長ラインデータＤＬＬ（ｋ）を容易に作成できる。このため、例えば図８に示す印刷画像ＤＳを６個印刷したい場合、印刷数Ｎ＝６を指定することにより、例えば図９に示すように、それぞれ印刷画像ＤＳと同一の６個の印刷画像Ｄ１（１）〜Ｄ１（６）を印刷できる。
【００９４】
なお、印刷画像データ（正確には各ラインデータ）と同様に、印刷画像の印刷数Ｎを示す印刷数データを、例えば画像印刷システムＷＳ０から同様に第１インタフェースＩＦ１等を介して、受信するようにしても良い。この場合も、印刷数Ｎが明確になるので、Ｊドットの１ライン分を表現する第ｋ短ラインデータＤＳＬ（ｋ）に基づいて、Ｊ×Ｎドットの１ライン分を表現する第ｋ長ラインデータＤＬＬ（ｋ）を容易に作成できる。
【００９５】
また、図２等で前述の印刷可能領域（印刷可能エリア、作業可能エリア）ＷＰＡをドット数に換算して、例えば第ｋ長ラインデータＤＬＬ（ｋ）に基づいてＸ軸方向に印刷可能な所定印刷可能ドット数Ｍとして規定しておき、印刷画像ＤＳの印刷数Ｎを、Ｘ軸方向のドット数Ｊおよび所定印刷可能ドット数Ｍに基づいて決定するようにしても良い。この場合、Ｊ×Ｎ≦Ｍとなるため、印刷画像ＤＳの印刷数Ｎを、印刷画像ＤＳのＸ軸方向のドット数Ｊと所定印刷可能ドット数Ｍに基づいて決定でき、これにより、Ｊドットの１ライン分を表現する第ｋ短ラインデータＤＳＬ（ｋ）に基づいて、Ｊ×Ｎドットの１ライン分を表現する第ｋ長ラインデータＤＬＬ（ｋ）を容易に作成できる。
【００９６】
また、印刷可能領域ＷＰＡのＸ軸方向をそのまま所定印刷可能長さＬとして定めることもでき、例えば第ｋ長ラインデータＤＬＬ（ｋ）に基づいてＸ軸方向に印刷可能な所定印刷可能長さＬとして規定しておき、印刷画像ＤＳの印刷数Ｎを、Ｘ軸方向のドット数Ｊ、印刷密度および所定印刷可能長さＬに基づいて決定するようにしても良い。この場合、Ｊ×Ｎ×印刷密度≦Ｌとなるため、印刷画像ＤＳの印刷数Ｎを、印刷画像ＤＳのＸ軸方向のドット数Ｊと印刷密度と所定印刷可能長さＬに基づいて決定でき、これにより、Ｊドットの１ライン分を表現する第ｋ短ラインデータＤＳＬ（ｋ）に基づいて、Ｊ×Ｎドットの１ライン分を表現する第ｋ長ラインデータＤＬＬ（ｋ）を容易に作成できる。
【００９７】
また、印刷画像ＤＳの印刷数Ｎを、Ｘ軸方向のドット数Ｊ、印刷密度および所定印刷可能長さＬに基づいて決定する場合、操作キー３等を使用して印刷密度を指定できるようにしても良い。また、Ｘ軸方向について、１８０ドット／インチ（ｄｐｉ）、３６０ｄｐｉ、７２０ｄｐｉ等の印刷密度の候補（選択肢）や選択状態（現在の印刷密度と改めて選択可能な印刷密度）等を表示パネルや表示ランプ４等に表示できるようにすれば、印刷密度の指定（選択）や現状把握に便利となる。これらの場合、印刷密度を指定するので、Ｊ×Ｎ×印刷密度≦Ｌとなる印刷画像ＤＳの印刷数Ｎを容易に決定でき、これにより、第ｋ短ラインデータＤＳＬ（ｋ）に基づいて第ｋ長ラインデータＤＬＬ（ｋ）を容易に作成できる。
【００９８】
また、印刷画像データと同様に、印刷密度を示す印刷密度データを、第１インタフェースＩＦ１等を介して、受信するようにしても良い。この場合も、印刷密度が明確になるので、Ｊ×Ｎ×印刷密度≦Ｌとなる印刷画像ＤＳの印刷数Ｎを容易に決定でき、これにより、第ｋ短ラインデータＤＳＬ（ｋ）に基づいて第ｋ長ラインデータＤＬＬ（ｋ）を容易に作成できる。
【００９９】
また、印刷画像ＤＳの印刷数Ｎを、所定印刷可能ドット数Ｍに基づいて決定したり、印刷密度および所定印刷可能長さＬに基づいて決定する場合、印刷画像ＤＳのＸ軸方向のドット数Ｊについては、受信したラインデータに基づいて検出するようにしても良い。この場合、各ライン対応のラインデータの先頭・末尾などの切れ目を検出できれば、各ラインデータに基づいてＸ軸方向のドット数Ｊを検出できる。もちろん、ドット数Ｊを示すドット数データを、第１インタフェースＩＦ１等を介して受信するようにしても良い。いずれの場合も、ドット数Ｊが明確になるので、印刷画像ＤＳの印刷数Ｎを容易に決定でき、これにより、第ｋ短ラインデータＤＳＬ（ｋ）に基づいて第ｋ長ラインデータＤＬＬ（ｋ）を容易に作成できる。
【０１００】
これらの場合、例えば図８の印刷画像ＤＳを複数印刷する場合、図９と同じ印刷可能領域ＷＰＡに配置した場合の最大個数分は「７」なので、印刷数Ｎ＝７と決定でき、これにより、Ｊドットの１ライン分を表現する第ｋ短ラインデータＤＳＬ（ｋ）に基づいて、Ｊ×７ドットの１ライン分を表現する第ｋ長ラインデータＤＬＬ（ｋ）を容易に作成でき、例えば図１０に示すように、それぞれ印刷画像ＤＳと同一の７個の印刷画像Ｄ１（１）〜Ｄ１（７）を印刷できる。
【０１０１】
特に、本実施形態の画像印刷装置１では、印刷対象物は、長尺状のテープＴであり、その長手方向がＸ軸方向と一致するように装着される。すなわち、長尺状の長手方向に印刷画像を並べて印刷できるので、印刷画像の印刷数Ｎを大きくしやすい。このため、受信したＪドットの１ライン分を表現する第ｋ短ラインデータＤＳＬ（ｋ）に基づいて、より多くの（大きなＮに対応する数の）印刷画像のＪ×Ｎドットの１ライン分を表現する第ｋ長ラインデータＤＬＬ（ｋ）を容易に作成でき、これにより、印刷画像データの通信と印刷画像の複数印刷との処理の並列度を高めることができ、所望の印刷画像を表現する印刷画像データを、そのうちの１ライン分を表現する各ラインデータの単位で通信しつつ、その印刷画像の複数印刷をさらに高速化できる。
【０１０２】
なお、図９や図１０で上述の各例では、元になる印刷画像を図８のような単独の印刷画像ＤＳとしたが、図１１（ａ）に示すように、画像作成システムＷＳ０において、その約３倍（３個分）の印刷画像ＤＳを直接作成し、画像印刷装置１において、その印刷画像ＤＳをＮ＝２個印刷すれば、図９の印刷結果と同様になる。この場合、印刷数Ｎは、画像作成システムＷＳ０から受信しても、画像印刷装置１において指定しても、画像印刷装置１において印刷可能領域ＷＰＡ等から最大個数として求めても、同じ結果となる
【０１０３】
次に、図１に説明を戻して、この画像印刷システムＰＳＹＳでは、画像作成システム（または装置）ＷＳ０において、Ｘ軸方向にＪ（Ｊは２以上の整数）ドット×Ｙ軸方向にＫ（Ｋは２以上の整数）ドットの所望の印刷画像ＤＳを表現する印刷画像データを作成し、作成された印刷画像データのうちのＫ個のラインデータを第１インタフェースＩＦ１を介して順次送信する。
【０１０４】
受信側の画像印刷装置１では、上述のように、Ｋラインのうちのｋ番目のラインデータ（第ｋ短ラインデータ）ＤＳＬ（ｋ）を受信したときに、Ｊドットの１ライン分をＸ軸方向にＮ個並べたＪ×Ｎドットの１ライン分を表現する第ｋ長ラインデータＤＬＬ（ｋ）を作成し、作成された第ｋ長ラインデータＤＬＬ（ｋ）によって表現されるＪ×Ｎドットの１ラインをｋライン目として、印刷対象物（テープＴ）のＸ軸方向に印刷する。
【０１０５】
このため、この画像印刷システムＰＳＹＳでは、印刷画像データの通信と印刷画像ＤＳの複数（Ｎ個）印刷との処理の並列度を高めることができ、所望の印刷画像ＤＳを表現する印刷画像データを、そのうちの１ライン分を表現する各ラインデータの単位で、第１インタフェースＩＦ１を介して通信しつつ、その印刷画像ＤＳの複数（Ｎ個）印刷を高速化できる。
【０１０６】
ここで、第１インタフェースＩＦ１としては、ＲＳ−２３２Ｃ、ＵＳＢ（Ｕｎｉｖｅｒｓａｌ  Ｓｅｒｉａｌ  Ｂｕｓ）、ＩＥＥＥ１３９４、セントロニクスなどの規格に従った通信が可能なものであることが好ましく、このため、画像印刷装置１では、図４で前述の画像データＩ／Ｏ２６では、これらのインターフェース規格（これらの規格に準拠したものも含む）に対応している。もちろん、画像作成システム（装置）ＷＳ０側は、パソコンやＥＷＳ等を有しているので、これらの標準的な規格に対応していて、第１インタフェースＩＦ１として、これらの規格に従った通信が可能になっている。
【０１０７】
なお、これらは有線通信の規格であり、シリアルデータ通信（ＲＳ−２３２Ｃ、ＵＳＢ、ＩＥＥＥ１３９４等）にも、パラレルデータ通信（セントロニクス等）にも対応しているので、この画像印刷システムＰＳＹＳでは、これらのいずれの規格に基づく通信を利用する場合であっても、所望の印刷画像ＤＳを表現する印刷画像データを、各ラインデータの単位で、第１インタフェースＩＦ１を介して通信しつつ、その印刷画像ＤＳの複数（Ｎ個）印刷を高速化できる。なお、第１インタフェースＩＦ１として、無線通信を利用することも可能であることは言うまでもない。
【０１０８】
次に、図１の画像印刷システムＰＳＹＳについて、図示のように、画像作成システムＷＳ０を（あるいはその代わりに）、印刷画像デザイン用のパソコン等（パソコンやＥＷＳ等）を有するワークステーションＷＳ２と、印刷ラインデータ出力用のパソコン等を有するワークステーションＷＳ１と、に分けて構成することもできる。
【０１０９】
この場合、ワークステーションＷＳ２では、Ｘ軸方向にＪ（Ｊは２以上の整数）ドット×Ｙ軸方向にＫ（Ｋは２以上の整数）ドットの所望の印刷画像ＤＳを表現する印刷画像データを作成し、作成された印刷画像データを第２インタフェースＩＦ２を介して送信する。一方、ワークステーションＷＳ１では、受信した印刷画像データをＫ個のラインデータに分割して、Ｋ個のラインデータを第１インタフェースＩＦ１を介して１個ずつ順次送信する。そして、画像印刷装置１では、第ｋ短ラインデータＤＳＬ（ｋ）に基づいて第ｋ長ラインデータＤＬＬ（ｋ）を作成し、作成された第ｋ長ラインデータＤＬＬ（ｋ）によって表現されるＪ×Ｎドットの１ラインをｋライン目として、テープ（印刷対象物）ＴのＸ軸方向に印刷する。
【０１１０】
このため、この場合の画像印刷システムＰＳＹＳでも、印刷画像データの通信と印刷画像ＤＳの複数（Ｎ個）印刷との処理の並列度を高めることができ、所望の印刷画像ＤＳを表現する印刷画像データを、そのうちの１ライン分を表現する各ラインデータの単位で、第１インタフェースＩＦ１を介して通信しつつ、その印刷画像ＤＳの複数（Ｎ個）印刷を高速化できる。
【０１１１】
ここで、第２インタフェースＩＦ２としては、所定のネットワークを介したものであることが好ましい。例えばネットワークにインターネットや所定のローカルエリアネットワーク（ＬＡＮ）が含まれる場合、第２インタフェースＩＦ２は、インターネットや所定のＬＡＮを含む所定のネットワークを介したものとなり、この画像印刷システムＰＳＹＳでは、所望の印刷画像ＤＳを表現する印刷画像データを、インターネットやＬＡＮを含むネットワークを介した第２インタフェースＩＦ２を介して通信し、かつ、その印刷画像データのうちの１ライン分を表現する各ラインデータの単位で、第１インタフェースＩＦ１を介して通信しつつ、その印刷画像ＤＳの複数（Ｎ個）印刷を高速化できる。
【０１１２】
また、第２インタフェースＩＦ２は、ＩＥＥＥ標準ＬＡＮ準拠の通信プロトコルに従った通信が可能なものが好ましく、これにより、所望の印刷画像ＤＳを表現する印刷画像データを、ＩＥＥＥ標準ＬＡＮ準拠の通信プロトコルに従って第２インタフェースを介して通信し、かつ、その印刷画像データのうちの１ライン分を表現する各ラインデータの単位で、第１インタフェースＩＦ１を介して通信しつつ、その印刷画像ＤＳの複数（Ｎ個）印刷を高速化できる。
【０１１３】
また、第２インタフェースは、イーサネット、ＦＤＤＩおよびＡＴＭの少なくとも１のデータリンクプロトコルに従った通信が可能なものが好ましく、これにより、所望の印刷画像ＤＳを表現する印刷画像データを、イーサネット、ＦＤＤＩおよびＡＴＭの少なくとも１のデータリンクプロトコルに従って第２インタフェースＩＦ２を介して通信し、かつ、その印刷画像データのうちの１ライン分を表現する各ラインデータの単位で、第１インタフェースＩＦ１を介して通信しつつ、その印刷画像ＤＳの複数（Ｎ個）印刷を高速化できる。
【０１１４】
なお、データリンクプロトコルとしては、これらの他、Ｔｏｋｅｎ  Ｒｉｎｇ、１００ＶＧ−ＡｎｙＬＡＮ、Ｆｉｂｅｒ  Ｃｈａｎｎｅｌ、ＨＩＰＰＩ、ＩＥＥＥ１３９４（ファイヤワイヤ（Ｆｉｒｅ  Ｗｉｒｅ））等を利用することもできる。また、これらも有線通信の規格であるが、第２インタフェースＩＦ２として、無線通信を利用することも可能であることは言うまでもない。
【０１１５】
次に、図１に示すように、画像印刷システムＰＳＹＳにおいて、印刷画像ＤＳの複数（Ｎ個）印刷が終了すると、テープ（印刷対象物）Ｔに印刷されたＮ個の印刷画像ＤＳのうちの各１個ずつの印刷画像ＤＳの部分を利用することになる。この利用方法の一つとして、印刷画像ＤＳが各１個ずつ印刷されたラベルを作成できる。すなわち、画像印刷システムＰＳＹＳにおいて、Ｎ個の印刷画像ＤＳを高速印刷できるので、テープ（印刷対象物）Ｔに印刷されたＮ個の印刷画像ＤＳのうちの各１個ずつの印刷画像ＤＳの部分を利用して、印刷画像ＤＳが各１個ずつ印刷されたラベルを作成できる。
【０１１６】
この場合、テープＴの各１個ずつの印刷画像ＤＳの部分を切り離すことにより、印刷画像ＤＳが各１個ずつ印刷されたラベルを作成できる。また、前述のように、テープＴには、裏面に接着面がないタイプと、裏面の接着面を剥離紙で覆ったタイプがあり、後者の場合、裏面の剥離層を剥離することにより、印刷画像ＤＳが表面に印刷された状態で所定の貼付対象物に貼付可能に構成されたものなので、テープＴに印刷されたＮ個の印刷画像ＤＳのうちの各１個ずつの印刷画像ＤＳの部分を利用して、印刷画像ＤＳが各１個ずつ印刷されたラベルを作成すれば、それらは、剥離層を剥離することで所定の貼付対象物に貼付可能なラベルとなる。
【０１１７】
また、例えば図１１（ａ）で前述のように、図８のような単独の印刷画像ＤＳでなく、その複数個（前述の例では３個）分の印刷画像ＤＳを直接作成する場合、印刷数Ｎ＝２を指定して単独の印刷画像の６個分を印刷できるが、この場合、例えば印刷数Ｎ＝２の代わりに（あるいはそれと併用して）、いわば単独画像数ＧＮ＝６を指定できるようにしても良い。また、この場合、上述の図１１（ａ）の例のように、例えば３個分の印刷画像ＤＳを直接作成し、単独画像数ＧＮ＝１００を指定すると、印刷数Ｎとしては１００／３から３３枚＋１枚の計３４枚となり、最後の１枚には余分に２個が印刷されることになるが、このような場合、最後の１枚では、主走査方向（Ｘ軸方向）の印刷領域（または移動量、または単独画像の印刷数等）を制限して、必要分（例えば１個分）のみ印刷するようにしても良い。また、これらの場合、単独画像数ＧＮは、印刷数Ｎと同様に、画像作成システムＷＳ０から受信しても、画像印刷装置１において指定しても良い。
【０１１８】
なお、印刷画像データを、そのうちの１ライン分を表現する各ラインデータの単位で通信する形態であれば、上述の各例以外にも、種々の形態を採用でき、本発明の要旨を逸脱しない範囲で、適宜変更も可能である。
【０１１９】
【発明の効果】
上述のように、本発明の画像印刷方法、画像印刷装置、画像印刷システム、ラベル作成方法およびラベル作成システムによれば、所望の印刷画像を表現する印刷画像データを、そのうちの１ライン分を表現する各ラインデータの単位で通信しつつ、その印刷画像の複数印刷を高速化でき、その印刷画像が印刷されたラベルを作成できる、などの効果がある。
【図面の簡単な説明】
【図１】本発明の一実施形態に係る画像印刷方法、画像印刷装置、画像印刷システム、ラベル作成方法およびラベル作成システムを適用した画像印刷システムの概要構成を示す説明図である。
【図２】図１の画像印刷装置の機構系の側面側からの概略断面構成を示す説明図である。
【図３】図２に対応する上面側からの概略断面構成を示す説明図である。
【図４】図１の画像印刷装置の制御系の概略構成を示すブロック図である。
【図５】図４のヘッド制御部の概略構成を示すブロック図である。
【図６】ヘッドユニットにおける印刷ヘッドおよびヘッドノズルの機能および配置を示す説明図である。
【図７】印刷画像、印刷画像データ、第ｋ短ラインデータおよび第ｋ長ラインデータの関係を示す説明図である。
【図８】印刷画像の一例を示す説明図である。
【図９】印刷画像の複数印刷の結果の一例を示す説明図である。
【図１０】別の一例を示す、図９と同様の説明図である。
【図１１】さらに別の一例を示す、図９と同様の説明図である。
【符号の説明】
１      画像印刷装置
６      ヘッドユニット
１０    操作部
２０    メイン制御部
２１    ＣＰＵ
２６    画像データ入出力（画像データＩ／Ｏ）
６０    ヘッド制御部
６１    第１ヘッド制御ブロック
６２    第２ヘッド制御ブロック
６３    第３ヘッド制御ブロック
６４    第４ヘッド制御ブロック
７０    アクチュエータ制御部
８０    内部バス
９０    電源回路
６１０  ノズル共通制御部
６１１  第１ノズル制御部
６１２  第２ノズル制御部
６１３  第３ノズル制御部
６１４  第４ノズル制御部
６１５  第５ノズル制御部
６１６  第６ノズル制御部
ＩＦ１  第１インタフェース
ＩＦ２  第２インタフェース
ＰＳＹＳ  画像印刷システム
Ｔ      テープ
ＷＳ０  画像作成システム（画像作成装置）
ＷＳ１、ＷＳ２  ……  ワークステーション
【図１】
0003552669.tif 000002
【図２】
0003552669.tif 000003
【図４】
0003552669.tif 000004
【図５】
0003552669.tif 000005
【図６】
0003552669.tif 000006
【図７】
0003552669.tif 000007
【図８】
0003552669.tif 000008
【図９】
0003552669.tif 000009
【図１０】
0003552669.tif 000010
【図１１】
0003552669.tif 000011
【図３】
0003552669.tif 000012